(57)【要約】【課題】  道路の全体像を容易に把握することができる道路図面を作成する技術を提供する。【解決手段】  本発明は、道路図面を作成する装置として具現化される。その道路図面作成装置は、道路の伸びる方向に沿って道路に順に配置された基準点ごとの、道路の道幅と、道路の中心線の高さと、道路の横断形状を記述するデータを記憶する記憶手段と、記憶手段に記憶されたデータに基づいて、道路の平面図と、道路の縦断図と、道路の横断図を含む道路図面を出力する出力手段を備えている。その道路図面作成装置は、出力手段が、同一の道路図面内に、道路の平面図と、道路の縦断図と、道路の横断図を、道路の伸びる方向に沿った位置を互いに位置合わせした状態で並べて表示した道路図面を出力することを特徴とする。【選択図】  図２
2009097297.tif 000002
【特許請求の範囲】
【請求項１】
道路図面を作成する装置であって、
道路の伸びる方向に沿って道路に順に配置された基準点ごとの、道路の道幅と、道路の中心線の高さと、道路の横断形状を記述するデータを記憶する記憶手段と、
前記記憶手段に記憶されたデータに基づいて、道路の平面図と、道路の縦断図と、道路の横断図を含む道路図面を出力する出力手段を備えており、
前記出力手段が、同一の道路図面内に、道路の平面図と、道路の縦断図と、道路の横断図を、道路の伸びる方向に沿った位置を互いに位置合わせした状態で並べて表示した道路図面を出力することを特徴とする道路図面作成装置。
【請求項２】
前記出力手段が、道路の縦断図に道路の横断形状を斜視図で表現したものを重ねて表示した道路図面を出力することを特徴とする請求項１の道路図面作成装置。
【請求項３】
道路図面を作成する方法であって、
記憶手段によって、道路の伸びる方向に沿って道路に順に配置された基準点ごとの、道路の道幅と、道路の中心線の高さと、道路の横断形状を記述するデータを記憶する記憶工程と、
出力手段によって、前記記憶手段に記憶されたデータに基づいて、道路の平面図と、道路の縦断図と、道路の横断図を含む道路図面を出力する出力工程を備えており、
前記出力工程において、同一の道路図面内に、道路の平面図と、道路の縦断図と、道路の横断図を、道路の伸びる方向に沿った位置を互いに位置合わせした状態で並べて表示した道路図面を出力することを特徴とする道路図面作成方法。
【請求項４】
前記出力工程において、道路の縦断図に道路の横断形状を斜視図で表現したものを重ねて表示した道路図面を出力することを特徴とする請求項３の道路図面作成方法。
【請求項５】
道路図面であって、同一の道路図面内に、道路の平面図と、道路の縦断図と、道路の横断図が、道路の伸びる方向に沿った位置を互いに位置合わせした状態で並べて表示されていることを特徴とする道路図面。
【請求項６】
前記道路の縦断図に道路の横断形状を斜視図で表現したものが重ねて表示されていることを特徴とする、請求項５の道路図面。
【発明の詳細な説明】
【技術分野】
【０００１】
本発明は、道路図面と、その作成装置と、その作成方法に関する。
【背景技術】
【０００２】
道路の維持・管理に係る作業を行うために、道路図面が用いられている。道路の補修工事の要否や具体的な補修方法を検討する際には、道路の現況を示す道路図面が用いられる。また、補修工事の段取りを検討して実際の作業に着手する際には、補修計画の内容を示す道路図面が用いられる。
【０００３】
従来の道路図面では、道路を上方から見た平面図、道路が伸びる方向（縦断方向）に沿って道路を切断した場合の断面形状を示す縦断図、道路が伸びる方向に直交する方向（横断方向）に沿って道路を切断した場合の断面形状を示す横断図の３種類の図面が用いられている。図５から図７は従来の道路図面の一例を示すものであり、図５は道路の平面図を例示し、図６は道路の縦断図を例示し、図７は道路の横断図を例示している。
【０００４】
図５の平面図５００では、道路を上方から見た際の、道路の中心線５０２と、道路の左側の側線５０４と、道路の右側の側線５０６の位置関係が表示される。一般に、補修工事を検討する際に用いる図面では、実際の道路が左右に曲がっていても、道路の中心線５０２を直線で表示し、中心線５０２からの道幅に応じて左右の側線５０４、５０６を表示する。図中の「測点名」は測量の際の計測点（測点）の名称を示しており、図中の「追加距離」は測量を開始した測点からその測点までの道路の伸びる方向に沿った距離を示している。数値５０８は測点間の距離（以下では「単距離」ともいう）を示しており、図の例では各測点間の距離が２０ｍであることを示している。数値５１０は道路の中心線５０２と左側の側線５０４の間の道幅をｍ単位で示しており、数値５１２は道路の中心線５０２と左側の側線５０６の間の道幅をｍ単位で示している。数値５１４と数値５１６は測点間の道路の面積を示しており、数値５１４が道路の中心線５０２と左側の側線５０４との間の測点間の道路の面積を、数値５１６が道路の中心線５０２と右側の側線５０６との間の測点間の道路の面積を示している。このような平面図５００は、測量を開始した測点から測量を終了した測点に至るまで用意され、一枚の図面に入りきらない場合には、複数枚の図面にわたって平面図５００が用意される。
【０００５】
図６の縦断図６００では、道路の中心線６０２と、道路の左側の側線６０４と、道路の右側の側線６０６の高さ方向の位置関係が表示される。図中の「Ｇ．Ｈ．」は地盤高を示しており、「Ｇ．Ｈ．（Ｌ）」は道路の左側の側線６０６の地盤高を、「Ｇ．Ｈ．（Ｃ）」は道路の中心線６０２の地盤高を、「Ｇ．Ｈ．（Ｒ）」は道路の右側の側線６０４の地盤高をそれぞれ示している。括弧内の数値６０８は、測点間での、道路が伸びる方向に関しての中心線６０２と左右の側線６０４、６０６のそれぞれの勾配を示している。縦断図６００の左側の目盛６１０は、道路の中心線６０２、道路の左側の側線６０４および道路の右側の側線６０６の地盤高に対応している。縦断図６００は測量によって測点ごとに計測された道路の地盤高に基づいて、道路の中心線６０２および道路の左右の側線６０４、６０６を測点ごとの地盤高でプロットし、それらを折れ線で接続することによって作成される。縦断図６００も、図５の平面図５００と同様に、測量を開始した測点から測量を終了した測点に至るまで用意されており、一枚の図面に入りきらない場合には、複数枚の図面にわたって縦断図６００が用意される。
【０００６】
図７の横断図７００では、各測点ごとに、道路の左側の側線７０２（横断図７００では点として表示される）から中心線７０４（横断図７００では点として表示される）を経て右側の側線７０６（横断図７００では点として表示される）に至る断面形状が表示される。各測点の横断図には、道路の中心線７０４と左右の側線７０２、７０６の地盤高（図では「Ｇ．Ｈ．」と表記）がそれぞれ表示される。数値７０８は道路の中心線７０４から道路の左側の側線７０２までの道幅をｍ単位で示している。数値７１０は道路の中心線７０４から道路の右側の側線７０６までの道幅をｍ単位で示している。数値７１２は道路の中心線７０４と道路の左側の側線７０２の間における道路の横断方向の勾配を示している。数値２４２は道路の中心線２３２と道路の右側の側線２３４の間における道路の横断方向の勾配を示している。横断図７００も、図５の平面図５００や図６の縦断図６００と同様に、測量を開始した測点から測量を終了した測点に至るまで用意されており、一枚の図面に入りきらない場合には、複数枚の図面にわたって横断図７００が用意される。
【０００７】
上記したような道路図面をコンピュータを用いて作成して出力する技術が開発されている。例えば特許文献１から３には、道路設計用ＣＡＤシステムを用いて道路を設計し、設計した道路の平面図、縦断図および横断図をそれぞれ出力する技術が開示されている。
【０００８】
【特許文献１】特開２００２−７４４０４号公報
【特許文献２】特開２００２−９９５８６号公報
【特許文献３】特開２００４−１００１４８号公報
【発明の開示】
【発明が解決しようとする課題】
【０００９】
従来は、道路の平面図、縦断図および横断図を、それぞれ別個の図面として出力していた。例えば図５の平面図５００はそれのみで一組の図面として出力され、図６の縦断図６００はそれのみで一組の図面として出力され、図７の横断図７００はそれのみで一組の図面として出力される。
【００１０】
しかしながら、このように３種類の図面を別個の図面として出力すると、道路の全体像を把握するために、平面図が表示された図面と、縦断図が表示された図面と、横断図が表示された図面を交互に見比べる必要があり、多大な労力を必要としていた。例えば道路の補修工事を行う者は、平面図と縦断図と横断図を交互に見比べて、それらの図面の対応関係を頭の中で整理して、道路の全体像を把握しつつ、補修工事の段取りを検討していた。このように３種類の図面を交互に見比べながら道路の全体像を把握する作業は、道路図面の読み取り方に熟練していないものにとっては、大変な労作業となっていた。また、道路図面の読み取り方に熟練している者にとっても、煩わしい作業であることに変わりはなく、本来行うべき作業の効率の低下を招く要因となっていた。道路図面を取り扱う業務に従事する者にとっては、道路の全体像をより容易に把握することが可能な技術が必要とされていた。
【００１１】
本発明は上記の課題を解決する。本発明は、道路の全体像を容易に把握することができる道路図面を作成する技術を提供する。
【課題を解決するための手段】
【００１２】
本発明は、道路図面を作成する装置として具現化される。その道路図面作成装置は、道路の伸びる方向に沿って道路に順に配置された基準点ごとの、道路の道幅と、道路の中心線の高さと、道路の横断形状を記述するデータを記憶する記憶手段と、記憶手段に記憶されたデータに基づいて、道路の平面図と、道路の縦断図と、道路の横断図を含む道路図面を出力する出力手段を備えている。その道路図面作成装置は、出力手段が、同一の道路図面内に、道路の平面図と、道路の縦断図と、道路の横断図を、道路の伸びる方向に沿った位置を互いに位置合わせした状態で並べて表示した道路図面を出力することを特徴とする。
【００１３】
上記の道路図面作成装置が出力する道路図面においては、道路の平面図と、道路の縦断図と、道路の横断図が、一枚の図面上に表示される。このような道路図面であれば、道路図面を取り扱う者は、同じ図面内で視線をわずかに動かすだけで、平面図と縦断図と横断図を交互に見比べることができる。従来のように、複数種類の図面を交互に見比べる必要がない。また、上記の道路図面作成装置が出力する道路図面においては、道路の平面図と、道路の縦断図と、道路の横断図が、道路の伸びる方向に沿った位置を互いに位置合わせされた状態で表示される。従って、道路図面を取り扱う者は、各図の対応関係を瞬時に把握することができる。上記の道路図面作成装置が出力する道路図面を用いることで、道路の全体像を容易に把握することが可能となる。
【００１４】
上記の道路図面作成装置においては、出力手段が、道路の縦断図に道路の横断形状を斜視図で表現したものを重ねて表示した道路図面を出力することが好ましい。
【００１５】
このような道路図面作成装置が出力する道路図面では、道路の縦断図から、道路の伸びる方向に沿って、その道路の横断形状がどのように変化しているのかを瞬時に把握することができる。道路の立体的な様相を容易に把握することが可能となる。
【００１６】
本発明は、道路図面を作成する方法としても具現化される。その道路図面作成方法は、記憶手段によって、道路の伸びる方向に沿って道路に順に配置された基準点ごとの、道路の道幅と、道路の中心線の高さと、道路の横断形状を記述するデータを記憶する記憶工程と、出力手段によって、前記記憶手段に記憶されたデータに基づいて、道路の平面図と、道路の縦断図と、道路の横断図を含む道路図面を出力する出力工程を備えている。その道路図面作成方法は、出力工程において、同一の道路図面内に、道路の平面図と、道路の縦断図と、道路の横断図を、道路の伸びる方向に沿った位置を互いに位置合わせした状態で並べて表示した道路図面を出力することを特徴とする。
【００１７】
上記の道路図面作成方法においては、出力工程において、道路の縦断図に道路の横断形状を斜視図で表現したものを重ねて表示した道路図面を出力することが好ましい。
【００１８】
本発明は道路図面そのものとしても具現化される。その道路図面は、同一の道路図面内に、道路の平面図と、道路の縦断図と、道路の横断図が、道路の伸びる方向に沿った位置を互いに位置合わせした状態で並べて表示されていることを特徴とする。
【００１９】
上記の道路図面においては、道路の縦断図に道路の横断形状を斜視図で表現したものが重ねて表示されていることが好ましい。
【発明の効果】
【００２０】
本発明によれば、道路の全体像を容易に把握することができる道路図面を作成することができる。
【発明を実施するための最良の形態】
【００２１】
以下、本発明を具現化した実施例について図面を参照して説明する。最初に実施例の主要な特徴を列記する。
（形態１）：道路図面では、道路の平面図と、道路の縦断図と、道路の横断図が上下方向に並べて表示されており、道路の平面図の上方に道路の縦断図が表示され、道路の縦断図の上方に道路の横断図が表示される。
【実施例１】
【００２２】
図１は本実施例に係る道路図面作成装置１０の構成を模式的に示している。道路図面作成装置１０は、入力装置１２と、入力データ処理装置１４と、記憶装置１６と、出力データ処理装置１８と、表示装置２０と、印刷装置２２を備えている。道路図面作成装置１０は、道路の現況についての測量結果に基づいて、道路の現況についての道路図面を出力する。
【００２３】
入力装置１２はキーボート等の一般的な入力手段である。入力装置１２から入力された測量結果データは、入力データ処理装置１４によって記憶装置１６に記憶される。測量結果データには、測量時の各測点ごとに、測点名と、直前の測点からの距離と、道路の中心線および左右の側線のそれぞれの地盤高と、道路の中心線から左右の側線までのそれぞれの道幅と、道路の横断方向についての断面形状（道路の横断形状ともいう）を表現するデータが含まれている。図８に記憶手段１６に記憶される測量結果データを例示する。図中の「測点名」は測量の際の計測点（測点）の名称を示している。図中の「単距離」は道路の伸びる方向に沿った直前の測点からの距離をｍ単位で示している。図中の「追加距離」は道路の伸びる方向に沿った測量を開始した測点からの距離をｍ単位で示している。図中の「道幅（Ｌ）」はその測点における道路の中心線から道路の左側の側線までの道幅をｍ単位で示している。図中の「道幅（Ｒ）」はその測点における道路の中心線から道路の右側の側線までの道幅をｍ単位で示している。図中の「Ｇ．Ｈ．（Ｌ）」から「Ｇ．Ｈ．（Ｒ）」にかけては、その測点における道路の地盤高（Ｇ．Ｈ．）の道路横断方向の分布をｍ単位で示しており、「Ｇ．Ｈ．（Ｌ）」は道路の左側の側線の地盤高を示し、「Ｇ．Ｈ．（Ｃ）」は道路の中心線の地盤高を示し、「Ｇ．Ｈ．（Ｒ）」は道路の右側の側線の地盤高を示す。
【００２４】
また図１の入力装置１２からは、表示装置２０に表示される道路図面の様式を変更したり、表示装置２０に表示された道路図面を同じ内容で印刷装置２２で紙に印刷したりすることについて、利用者からの指示データが入力される。指示データが入力された場合、入力データ処理装置１４は入力された指示データを出力データ処理装置１８に送る。
【００２５】
出力データ処理装置１８は、記憶装置１６に記憶されている測量結果データを読み込んで、表示装置２０や印刷装置２２で道路図面を出力するためのイメージデータを生成する。出力データ処理装置１８が生成したイメージデータは、表示装置２０や、印刷装置２２へ出力される。
【００２６】
表示装置２０は、画面上に画像を表示する一般的なディスプレイである。表示装置２０は、出力データ処理装置１８から入力されるイメージデータに基づいて、画面上に道路図面を表示する。
【００２７】
印刷装置２２は、道路図面を紙に印刷するプリンタである。道路図面作成装置１０の利用者は、表示装置２０に表示された道路図面を見て仕上がりを確認し、入力装置１２から印刷を指示する指示データを入力する。印刷を指示する指示データが入力装置１２から入力されると、出力データ処理装置１８は、表示装置２０に表示している道路図面と同じ内容の道路図面を、印刷装置２２によって紙に印刷する。
【００２８】
図２は出力データ処理装置１８が生成したイメージデータに基づいて表示装置２０が表示する道路図面２００を例示している。道路図面２００では、一枚の図面の中に、平面図２０２と、縦断図２０４と、横断図２０６が紙面上下方向に並べて表示される。道路図面２００の最下部には、測点の名称と、測量を開始した測点からの道路の伸びる方向に沿ったその測点までの距離（追加距離）が表示されており、それらの紙面上方に平面図２０２が表示される。平面図２０２の紙面上方に縦断図２０４が表示され、縦断図２０４の紙面上方に横断図２０６が表示される。
【００２９】
平面図２０２では、道路を上方から見た際の、道路の中心線２０８と、道路の左側の側線２１０と、道路の右側の側線２１２の位置関係が表示される。道路の中心線２０８は、道路図面２００の紙面左右方向に伸びる直線として表示され、測点ごとに計測されている中心線２０８からの道幅に応じて左右の側線２１０、２１２が表示される。数値２１４は測点間の距離（単距離ともいう）をｍ単位で表現している。数値２１６は道路の中心線２０８から道路の左側の側線２１０までの道幅をｍ単位で示し、数値２１８は道路の中心線２０８から道路の右側の側線２１２までの道幅をｍ単位で示している。平面図２０２は、道路の中心線２０８、道路の左側の側線２１０および道路の右側の側線２１２における測点の紙面左右方向の位置が、道路図面２００の最下部に表示された測点名の紙面左右方向の位置と一致するように位置合わせされて表示される。
【００３０】
縦断図２０４では、道路の中心線２２０と、道路の左側の側線２２２と、道路の右側の側線２２４の高さ方向の位置関係が表示される。道路図面２００の左側の目盛２２６は、縦断図２０４の中心線２２０、左側の側線２２２および右側の側線２２４の地盤高に対応している。縦断図２０４は、道路の中心線２２０、道路の左側の側線２２２および道路の右側の側線２２４における測点の紙面左右方向の位置が、道路図面２００の最下部に表示された測点名の紙面左右方向の位置と一致するように位置合わせされて表示される。
【００３１】
横断図２０６では、各測点ごとに、道路の左側の側線２３０（横断図２０６では点として表示される）から中心線２３２（横断図２０６では点として表示される）を経て右側の側線２３４（横断図２０６では点として表示される）に至る、道路の横断方向の断面形状が表示される。各測点の断面形状の表示の近傍には、道路の中心線２３２と左右の側線２３０、２３４の地盤高（図中では「Ｇ．Ｈ．」と表記）がそれぞれ表示される。数値２３６は道路の中心線２３２から道路の左側の側線２３０までの道幅をｍ単位で示している。数値２３８は道路の中心線２３２から道路の右側の側線２３４までの道幅をｍ単位で示している。数値２４０は道路の中心線２３２と道路の左側の側線２３０の間における道路の横断方向の勾配を示している。数値２４２は道路の中心線２３２と道路の右側の側線２３４の間における道路の横断方向の勾配を示している。横断図２０６では、各測点における道路の中心線２３２の紙面左右方向の位置が、道路図面２００の最下部に表示された測点名の紙面左右方向の位置と一致するように位置合わせされて表示される。横断図２０６における各測点の断面形状の表示における紙面左右方向の縮尺は、隣接する他の測点の断面形状の表示と重なり合うことがないように、適切な縮尺に調整されている。
【００３２】
本実施例の道路図面作成装置１０が出力する道路図面２００においては、各測点の紙面左右方向の位置を位置合わせした状態で、平面図２０２と、縦断図２０４と、横断図２０６が、一枚の図面上に並べて表示されている。このような道路図面２００の場合、道路図面２００を取り扱う者は、視線をわずかに上下させるだけで、平面図と縦断図と横断図を交互に見比べることができる。また、平面図と縦断図と横断図が、各測点の位置を位置合わせして並べられているので、各図の対応関係を瞬時に把握することができる。道路図面作成装置１０が作成した道路図面２００を用いることで、道路の全体像を容易に把握することが可能となる。
【実施例２】
【００３３】
本実施例の道路図面作成装置１０は、実施例１の道路図面作成装置１０と同様の構成を備えているが、表示装置２０や印刷装置２２に出力する道路図面の様相のみが異なる。
【００３４】
図３は本実施例の道路図面作成装置１０が表示装置２０や印刷装置２２に出力する道路図面３００を例示している。道路図面３００では、実施例１の道路図面２００と同様に、一枚の図面の中に、平面図３０２と、縦断図３０４と、横断図３０６が紙面上下方向に並べて表示される。道路図面３００の最下部には、測点の名称と、測量を開始した測点からの道路の伸びる方向に沿ったその測点までの距離（追加距離）が表示されており、それらの紙面上方に平面図３０２が表示される。平面図３０２の紙面上方に縦断図３０４が表示され、縦断図３０４の紙面上方に横断図３０６が表示される。道路図面３００において、平面図３０２、縦断図３０４および横断図３０６が表示する内容は、実施例１の道路図面２００において平面図２０２、縦断図２０４および横断図２０６が表示する内容と同様であるので、詳細な説明は省略する。
【００３５】
道路図面３００では、さらに横断図３０６の紙面上方に、立体図３０８が表示される。立体図３０８では、各測点ごとの道路の横断形状を表示するフレーム３１０が表示される。フレーム３１０には、対応する測点における、道路の左側の側線３１２から中心線３１４を経て右側の側線３１６に至る道路の断面形状が、斜視図として表示される。フレーム３１０に表示される断面形状は、横断図３０６において対応する測点に関して表示される断面形状と同一であるが、斜視図として表示されている点で、横断図３０６における表示とは異なる。各測点についてのフレーム３１０は、そこに表示される断面形状における道路の中心線３１４の紙面左右方向の位置が、道路図面３００の最下部に表示された測点名の紙面左右方向の位置と一致するように位置合わせされて表示される。
【００３６】
立体図３０８はさらに、各測点についてのフレーム３１０の間で、道路の中心線３１８と、道路の左側の側線３２０と、道路の右側の側線３２２が、それぞれ直線で表現される。道路図面３００を取り扱う者は、この立体図３０８を見ることによって、道路が伸びる方向に沿って、道路の横断形状がどのように変化しているのかを、容易に認識することができる。
【００３７】
本実施例の道路図面作成装置１０が出力する道路図面３００においては、各測点の紙面左右方向の位置を位置合わせした状態で、平面図３０２と、縦断図３０４と、横断図３０６と、立体図３０８が、一枚の図面上に並べて表示される。このような道路図面３００の場合、道路図面３００を取り扱う者は、視線をわずかに上下させるだけで、平面図と縦断図と横断図と立体図を交互に見比べることができる。また、平面図と縦断図と横断図と立体図が、各測点の位置を位置合わせして並べられているので、各図の対応関係を瞬時に把握することができる。道路図面作成装置１０が作成した道路図面３００を用いることで、道路の全体像を容易に把握することが可能となる。
【実施例３】
【００３８】
本実施例の道路図面作成装置１０は、実施例１および実施例２の道路図面作成装置１０と同様の構成を備えているが、表示装置２０や印刷装置２２に出力する道路図面の様相のみが異なる。
【００３９】
図４は本実施例の道路図面作成装置１０が表示装置２０や印刷装置２２に出力する道路図面４００を例示している。道路図面４００では、実施例１の道路図面２００や、実施例２の道路図面３００と同様に、一枚の図面の中に、平面図４０２と、縦断図４０４と、横断図４０６が紙面上下方向に並べて表示される。道路図面４００の最下部には、測点の名称と、測量を開始した測点からの道路の伸びる方向に沿ったその測点までの距離（追加距離）が表示されており、それらの紙面上方に平面図４０２が表示される。平面図４０２の紙面上方に縦断図４０４が表示され、縦断図４０４の紙面上方に横断図４０６が表示される。道路図面４００において、平面図４０２および横断図４０６が表示する内容は、実施例１の道路図面２００において平面図２０２および横断図２０６が表示する内容や、実施例２の道路図面３００において平面図３０２および横断図３０６が表示する内容と同様であるので、詳細な説明は省略する。
【００４０】
道路図面４００の縦断図４０４では、道路の中心線４０８と、道路の左側の側線４１０と、道路の右側の側線４１２の高さ方向の位置関係が表示される。道路図面４００の左側の目盛４１４は、縦断図４０４の中心線４０８、左側の側線４１０および右側の側線４１２の地盤高に対応している。縦断図４０４ではさらに、各測点ごとの道路の横断形状を表示するフレーム４１６が表示される。フレーム４１６には、対応する測点における、道路の左側の側線４１０から中心線４０８を経て右側の側線４１２に至る道路の断面形状が、斜視図として表示される。フレーム４１６に表示される断面形状は、横断図４０６において対応する測点に関して表示される断面形状と同一であるが、斜視図として表示されている点で、横断図４０６における表示とは異なる。各測点についてのフレーム４１６は、そこに表示される断面形状における道路の中心線４０８の紙面左右方向の位置が、道路図面４００の最下部に表示された測点名の紙面左右方向の位置と一致するように位置合わせされて表示される。
【００４１】
なお道路図面４００の縦断図４０４においては、道路の中心線４０８に関しては、測点の紙面左右方向の位置が、道路図面４００の最下部に表示された測点名の紙面左右方向の位置と一致するように位置合わせされているが、道路の左側の側線４１０と道路の右側の側線４１２に関しては、測点の紙面左右方向の位置が、道路図面４００の最下部に表示された測点名の紙面左右方向の位置と一致するように位置合わせされていない。これは、縦断図４０４においては、道路の左側の側線４１０と道路の右側の側線４１２が、フレーム４１６に斜視図として表示される道路の断面形状に対して位置合わせされて表示されるためである。
【００４２】
道路図面４０４を取り扱う者は、この縦断図４０４を見ることによって、道路が伸びる方向に沿って、道路の横断形状がどのように変化しているのかを、道路の高さ方向の変化と合わせて、容易に認識することができる。
【００４３】
本実施例の道路図面作成装置１０が出力する道路図面４００においては、各測点の紙面左右方向の位置を位置合わせした状態で、平面図４０２と、縦断図４０４と、横断図４０６が、一枚の図面上に表示される。このような道路図面４００の場合、道路図面４００を取り扱う者は、視線をわずかに上下させるだけで、平面図と縦断図と横断図を交互に見比べることができる。また、平面図と縦断図と横断図が、各測点の位置を位置合わせして並べられているので、各図の対応関係を瞬時に把握することができる。道路図面作成装置１０が作成した道路図面４００を用いることで、道路の全体像を容易に把握することが可能となる。
【００４４】
なお上記した各実施例においては、道路の現況を示す道路図面を作成する場合について説明したが、同様の手法を用いて、道路の補修計画を示す道路図面を作成することもできる。このような構成とした場合、補修工事を行った後の道路の様相を容易に把握することが可能な道路図面を作成することができる。
【００４５】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合せによって技術的有用性を発揮するものであり、出願時請求項記載の組み合せに限定されるものではない。また、本明細書または図面に例示した技術は複数の目的を同時に達成するものであり、そのうちの一つの目的を達成すること自体で技術的有用性を持つものである。
【図面の簡単な説明】
【００４６】
【図１】図１は道路図面作成装置１０の構成を模式的に示す図である。
【図２】図２は道路図面作成装置１０が出力する道路図面２００を例示する図である。
【図３】図３は道路図面作成装置１０が出力する道路図面３００を例示する図である。
【図４】図４は道路図面作成装置１０が出力する道路図面４００を例示する図である。
【図５】図５は従来用いられている道路図面の平面図５００を例示する図である。
【図６】図６は従来用いられている道路図面の縦断図６００を例示する図である。
【図７】図７は従来用いられている道路図面の横断図７００を例示する図である。
【図８】図８は記憶手段１６に記憶されるデータの構成を例示する図である。
【符号の説明】
【００４７】
１０   道路図面作成装置
１２   入力装置
１４   入力データ処理装置
１６   記憶装置
１８   出力データ処理装置
２０   表示装置
２２   印刷装置
２００ 道路図面
２０２ 平面図
２０４ 縦断図
２０６ 横断図
２０８ 道路の中心線
２１０ 道路の左側の側線
２１２ 道路の右側の側線
２１４ 数値
２１６ 数値
２１８ 数値
２２０ 道路の中心線
２２２ 道路の左側の側線
２２４ 道路の右側の側線
２２６ 目盛
２３０ 道路の左側の側線
２３２ 道路の中心線
２３４ 道路の右側の側線
２３６ 数値
２３８ 数値
２４０ 数値
２４２ 数値
３００ 道路図面
３０２ 平面図
３０４ 縦断図
３０６ 横断図
３０８ 立体図
３１０ フレーム
３１２ 道路の左側の側線
３１４ 道路の中心線
３１６ 道路の右側の側線
３１８ 道路の中心線
３２０ 道路の左側の側線
３２２ 道路の右側の側線
４００ 道路図面
４０２ 平面図
４０４ 縦断図
４０４ 道路図面
４０６ 横断図
４０８ 道路の中心線
４１０ 道路の左側の側線
４１２ 道路の右側の側線
４１４ 目盛
４１６ フレーム
５００ 平面図
５０２ 道路の中心線
５０４ 道路の左側の側線
５０６ 道路の右側の側線
５０８ 数値
５１０ 数値
５１２ 数値
５１４ 数値
５１６ 数値
６００ 縦断図
６０２ 道路の中心線
６０４ 道路の左側の側線
６０６ 道路の右側の側線
６０８ 数値
６１０ 目盛
７００ 横断図
７０２ 道路の左側の側線
７０４ 道路の中心線
７０６ 道路の右側の側線
７０８ 数値
７１０ 数値
７１２ 数値
【図１】
2009097297.tif 000003
【図２】
2009097297.tif 000004
【図３】
2009097297.tif 000005
【図４】
2009097297.tif 000006
【図５】
2009097297.tif 000007
【図６】
2009097297.tif 000008
【図７】
2009097297.tif 000009
【図８】
2009097297.tif 000010